(57)【要約】【課題】圧力を高めることなく単体のエジェクターによって異なる流体を吸引することができるようにする。【解決手段】エジェクター１は、エジェクター本体１０、エジェクター流入口２、分割部材３で二つに仕切られた隘路３１、３２、吸引開口１１、１２、エジェクター流出口４で構成される。エジェクター流入口２から流入した液体は、分割部材３で二つに分割された隘路３１、３２を通過する際に流速が高まり負圧状態となり、二つの吸引開口１１、１２からそれぞれに気体が流体中に吸引される。この吸引開口１１、１２に異なる気体が供給されるようにすると、気体は吸引開口１１、１２から吸引されて流体と混合されて溶解してエジェクター流出口４より排出されるので、異なる気体を流体に吸引溶解させることができる。【選択図】図１
2011021544.tif 000002
【特許請求の範囲】
【請求項１】
流体の通路の一部に隘路を設けて流速を高め、負圧状態として流体を吸引して流体と混合するエジェクターにおいて、隘路に流路方向に沿って分割部材を設けて隘路を複数に分割し、それぞれの隘路に吸引開口を設けたことを特徴とするエジェクター。
【請求項２】
請求項１において、隘路が分割部材によって２または３に分割されているエジェクター。
【請求項３】
隘路に流路方向に沿って分割部材を設けて隘路を２つに分割し、それぞれの隘路に吸引開口を設けたエジェクターを介して処理液体槽とタンクが連結してあり、処理液体槽とエジェクターの間にポンプが設けてあり、オゾン発生器がオゾン流路を介してエジェクターの一方の吸引開口に連結してあり、他方の吸引開口にはタンク内の残存オゾンをエジェクターに送るための残存オゾン返送管路が連結してあるオゾン水製造装置。
【発明の詳細な説明】
【技術分野】
【０００１】
本発明は、流路に隘路を形成して流速を高めて負圧状態をつくり、隘路の側部に形成した吸引開口から気体を流体内に吸引して液体に気体または液体を混合するエジェクターに関するものである。
【背景技術】
【０００２】
エジェクターは、水道の吐水口に取り付けて真空ポンプとして利用するエジェクターポンプが知られており、吸引開口は一つであり、単一の気体が吸引されている。エジェクターを使用して複数の流体（気体）を吸引する場合、従来は図４（１）に示すように、エジェクターを直列に配列したり、図４（２）に示すように、エジェクターを並列に配列して複数の流体を吸引することが提案されている。
【先行技術文献】
【特許文献】
【０００３】
【特許文献１】特開平０７−１１００００号公報
【特許文献２】特許第４２０７２４５号公報
【発明の概要】
【発明が解決しようとする課題】
【０００４】
エジェクターを直列に配置した場合、流入口の圧力（P1）、管内の圧力（P2）、及び流出部の圧力（P3）の関係が、P1＞P2＞P3とする必要があり、流体を吸引するためには、流入口の圧力をエジェクター単体の場合よりも増大させなければならず、ポンプ容量を大きくしなければならなかった。
【０００５】
また、エジェクターを並列に配列した場合、配管が複雑になると共に分岐配管のためのスペースを必要とし、かつ、分岐管を必要とするなど部品点数も多くなるためコストがかかる上、吸引混入することができる流体の量が大きくなく、更に装置をコンパクトにまとめることが困難であるという問題があった。
【０００６】
本発明は、流入圧力を高めることなく複数の流体を、また、複雑な分岐配管をすることなく、単体のエジェクターによって異なる流体を吸引できるようにすると共に、装置をコンパクトにまとめることができるようにすることである。
【課題を解決するための手段】
【０００７】
本発明は、流体の通路の一部に隘路を設けて流速を高めて負圧状態として気体を吸引するエジェクターにおいて、隘路に分割部材を設けて複数の隘路を形成し、それぞれの隘路に吸引開口を設けることによって複数の流体を吸引すると共に、吸引する流体量を増大させることを特徴とするものである。
【０００８】
エジェクターの隘路の流路分割数は任意であり、２分割に限らずエジェクターとしての隘路が確保できる限り分割することが可能である。
更に、本発明のエジェクターは、気体だけでなく、液体を吸引させてもよく、液体同士の混合にも適用できる。
【発明の効果】
【０００９】
本発明によれば、エジェクターの吸引開口から吸引された流体が、分割された隘路において、それぞれ異なった流体を効率よく吸引することができ、オゾン水製造装置に適用することができ、より多くのオゾンを水に効率よく溶解させることができるのでオゾン水を低コストで製造することができる。
【図面の簡単な説明】
【００１０】
【図１】本発明のエジェクターの縦断面図。
【図２】本発明のエジェクターの図１のＡ−Ａ断面図。
【図３】本発明のエジェクターを使用したオゾン水製造装置の概念図。
【図４】エジェクターを複数配列した従来技術の概念図。
【発明を実施するための形態】
【００１１】
本発明を図面に基づいて詳細に説明する。
図１は、本発明のエジェクターの実施例の断面図であり、エジェクター本体１０、流入口２、分割部材３で二つに仕切られた隘路３１、３２隘路３０、３１の各々の側壁に設けられた吸引開口１１、１２、及び流出口４で構成されている。流入口２、流出口４、吸引開口１１、１２のそれぞれにはネジ式のコネクタ５が設けてあり、流路となる管を接続できるようになっている。
分割部材３は、隘路の全長に渡る長さであり、隘路は完全に分離されて独立した隘路３１、３２を形成しており、分割部材３の両端部は、流体の流れを阻害しないように流線形若しくは、先鋭に形成してある。
【００１２】
エジェクター１の流入口２から流入した液体等の流体は、分割部材３で二つに仕切られた隘路３１、３２を通過する際に流速が高められて負圧状態となり、吸引開口１１、１２からそれぞれに気体が流体中に吸引される。この吸引開口１１，１２に異なる気体を供給すれば、それぞれの気体は吸引開口１１，１２から吸引されて流体と混合されて溶解し、流出口４より排出される。
【００１３】
図３は、本発明のエジェクターをオゾン水製造装置へ適用した例である。
オゾン水製造装置５０は、オゾン発生器５１、オゾン流路５２、処理液体槽５３、ポンプ６、注入流路７、二つの吸引開口１１、１２を有するエジェクター１、エジェクター１の流出口に接続した管路５４及びオゾンを溶解させたオゾン水を貯留するタンク５５から構成される。
【００１４】
処理液体槽５３に貯留された被処理液は、ポンプ６によって注入流路７を通ってエジェクター１の流入口に送られエジェクター１の隘路によって増速されて負圧状態とする。一方、オゾン発生器５１で生成したオゾンは、オゾン流路５２を通り、エジェクター１の一方の吸引開口１１に供給され、被処理液内に吸引されて溶解し、供給管路５４を通ってオゾン水６０としてタンク５５に貯留される。被処理液をオゾンで飽和させるためには余剰のオゾンが必要であるため、溶解されないオゾンはタンク５５内に残存オゾンとしてタンクに存在する。
【００１５】
タンク５５に接続してあるオゾン返送管路８が、エジェクター１の他方の吸引開口１２に連結してあり、タンク５５内の残存オゾンがエジェクター１の吸引開口１２から流体内に吸引されて溶解されるのでタンク５５内の残存オゾンを有効利用することができる。
エジェクター１の吸引開口１１から流体内に吸引されたが溶解されずにタンク５５内に存在する残存オゾンは、繰り返し使用されるのでタンク５５内に気体の状態で存在する残存オゾンの増加が抑えられ、残存オゾンを処理するという後処理の工数が削減される。
【符号の説明】
【００１６】
１    エジェクター
１０  エジェクター本体
１１，１２  吸引開口
２    流入口
３    分割部材
３１、３２  隘路
４    流出口
５    コネクタ
５０  オゾン水製造装置
５１  オゾン発生器
５２  オゾン流路
５３  処理流体槽
５４  供給管路
５５  タンク
６    ポンプ
７    注入流管路
８    返送管路
【図１】
2011021544.tif 000003
【図２】
2011021544.tif 000004
【図３】
2011021544.tif 000005
【図４】
2011021544.tif 000006